(57)【要約】  【課題】放電ランプ内に封入されている封入物の流出を少なくできる光源ユニット、光源装置及び投射型表示装置を提供することを目的とする。  【解決手段】光源ユニットは、放電空間１３内に水銀が封入された放電ランプ３と、ハウジング５とを備え、ハウジング５内に放電ランプ３が組み込まれている。ハウジング５は、反射部材７とレンズ部材９とからなる。ハウジング５には、ハウジング５の内部と外部とを連通可能とする切欠部７ｅと貫通孔４３ａが形成されており、この切欠部７ｅに切欠部用吸収体４５ａが、貫通孔４３ａに貫通孔用吸収体４５ｂがそれぞれ設けられ、切欠部用吸収体４５ａ及び貫通孔用吸収体４５ｂ内に水銀を吸収できる活性炭が格納されている。  【選択図】図３
2008529201.tif 000002
【特許請求の範囲】
【請求項１】
内部の放電空間に封入物を有する放電ランプと、前記放電ランプを内部に格納するハウジングとを備える光源ユニットであって、
前記ハウジングの内部と外部とは連通部により連通されており、前記放電ランプから漏出した封入物を吸収する吸収体が前記連通部に設けられている
ことを特徴とする光源ユニット。
【請求項２】
前記ハウジングは、凹入面状の反射面を有する反射部材と、前記反射部材の開口を塞ぐ透光性の透光部材とを備え、前記連通部は、前記反射部材及び／又は透光部材に設けられている
ことを特徴とする請求項１に記載の光源ユニット。
【請求項３】
前記放電ランプは、前記封入物として水銀を含んだ高圧放電ランプである
ことを特徴とする請求項２に記載の光源ユニット。
【請求項４】
前記放電ランプは、前記封入物として水銀を含んだ高圧放電ランプである
ことを特徴とする請求項１に記載の光源ユニット。
【請求項５】
前記吸収体は、活性炭を含んでいる
ことを特徴とする請求項１に記載の光源ユニット。
【請求項６】
前記吸収体は、活性炭を含んでいる
ことを特徴する請求項４に記載の光源ユニット。
【請求項７】
凹入面状の反射面を有する反射部材と、前記反射部材の開口を塞ぎ、透光性を有する透光部材と、内部の放電空間に封入物を有し、前記反射部材と前記透光部材とに囲まれた空間内に格納される放電ランプとを備える光源装置であって、
前記反射部材及び／又は透光部材は、前記空間内と外気とを連通させる連通部を備え、前記放電空間から漏出した封入物を吸収する吸収体が前記連通部に設けられている
ことを特徴とする光源装置。
【請求項８】
前記放電ランプは、前記反射部材に組み込まれた一体型であって、当該反射部材が前記透光部材に着脱自在である
ことを特徴とする請求項７に記載の光源装置。
【請求項９】
請求項７又は８に記載の光源装置を備えていることを特徴とする投射型表示装置。
【請求項１０】
凹入面状の反射面を有する反射部材の開口を透光性の透光部材により塞いで形成される空間内に、放電空間に封入物を有する放電ランプが組み込まれている光源手段と、前記光源手段を冷却する送風手段と、前記光源手段と前記送風手段とを格納する筐体とを備える投射型表示装置であって、
前記送風手段より発生する空気の流動経路上であって前記放電ランプよりも下流側に、前記放電空間から漏出した封入物を吸収する吸収体が設けられている
ことを特徴とする投射型表示装置。
【請求項１１】
前記光源手段は、前記反射部材及び／又は透光部材に、前記空間内と外気とを連通させる連通部を備え、当該連通部に前記吸収体が設けられている
ことを特徴とする請求項１０に記載の投射型表示装置。
【発明の詳細な説明】
【技術分野】
【０００１】
本発明は、内部に封入物を有する放電ランプがハウジング内に組み込まれている光源ユニット、内部に封入物を有する放電ランプを備える光源装置及び投射型表示装置に関する。
【背景技術】
【０００２】
メタルハライドランプ等の高圧放電ランプは、放電容器内に封入された発光物質、緩衝物質等の封入物を有し、例えば、凹面状の反射面を有する反射部材と当該反射部材にその開口を塞ぐように設けられたレンズ部材とからなるハウジング内に組み込まれた光源ユニットとして、例えば、投射型の表示装置、自動車のヘッドライト等に広く利用されている。
【０００３】
一方、高圧放電ランプは、点灯すると高温となり、これに合せて放電空間内の圧力が高くなる。この傾向は、光源ユニットにおいてより顕著となる。つまり、高圧放電ランプはハウジング内に気密状に組み込まれているため、高圧放電ランプから発せられた熱がハウジング内に溜まり、高圧放電ランプがより高温になるのである。
なお、高圧放電ランプ及びハウジング内の圧力が過度に高くなると、高圧放電ランプ及びハウジングが破損し、飛散した破片により光源ユニット周辺の部品・部材をいためる場合がある。
【０００４】
この対策として、例えば、高圧放電ランプの点灯により熱せられた空気をハウジングの外部へと流す通気口をハウジングに設けた光源ユニットが提案されている（特許文献１）。この通気口には、ハウジング内の高圧放電ランプが破損した場合でも、その破片がハウジングの通気口を通って外部へ飛散するのを防止するような構造、例えば、金属メッシュが取り付けられている。
【特許文献１】特開平１０−２５４０６１号公報
【発明の開示】
【発明が解決しようとする課題】
【０００５】
しかしながら、従来の光源ユニットでは、高圧放電ランプが破損した場合、その破片が飛散するのを防げるものの、高圧放電ランプの放電空間内に封入されている封入物がハウジングの外部へ流出するのを防ぐことはできない。
特に、封入物として水銀が含まれている場合、水銀蒸気が光源ユニットの外部に漏出すると、光源ユニット周辺にある部品・部材を浸食（エロージョン）させてしまい、例えば、内部に光源ユニットを備える表示装置では、光源ユニットの近くに制御ユニット等の重要部品を配置できないという問題がある。これにより、部品の配置位置の制限を受けたり、装置全体が大型化したりするなどの弊害を招く。
【０００６】
なお、放電空間内に発光物質等の封入物が封入されている放電ランプについても、当該放電ランプが損傷すると内部の封入物が漏出するので、封入物によっては上記問題と同じようなことが生じ得る。
本発明は、上記のような問題点に鑑みてなされたもので、放電ランプ内に封入されている封入物の流出を少なくできる光源ユニット、光源装置及び投射型表示装置を提供することを目的とする。
【課題を解決するための手段】
【０００７】
本発明に係る光源ユニットは、内部の放電空間に封入物を有する放電ランプと、前記放電ランプを内部に格納するハウジングとを備え、前記ハウジングの内部と外部とは連通部により連通されており、前記放電ランプから漏出した封入物を吸収する吸収体が前記連通部に設けられていることを特徴としている。
上記構成によると、例えば、放電ランプが破損して内部の封入物が漏出した場合でも、当該漏出した封入物がハウジングの外部へ連通部から流出する際に、吸収体により吸収される。
【０００８】
このため、例えば、点灯中に放電ランプが破損して放電空間から封入物が漏出した場合でも、封入物がハウジングの外部へ連通部から流出する際に、吸収体により吸収され、放電ランプ内に封入されていた封入物のハウジング外部への流出を防止できる。
さらに、前記ハウジングは、凹入面状の反射面を有する反射部材と、前記反射部材の開口を塞ぐ透光性の透光部材とを備え、前記連通部は、前記反射部材及び／又は透光部材に設けられていることを特徴としている。このため、放電ランプから漏出した封入物が、ハウジングの外部に流出する際には前記連通部を通ることとなり、確実にハウジングの外部に流出しようとする封入物を吸収できる。
【０００９】
また、前記放電ランプは、前記封入物として水銀を含んだ高圧放電ランプであることを特徴としており、ここでいう「水銀」は、水銀の形態を特に限定するものではなく、液体状の水銀及び水銀蒸気を含む概念で使用している。
しかも、前記吸収体は、活性炭を含んでいることを特徴としている。このため、容易に実施できる。
【００１０】
一方、本発明に係る光源装置は、凹入面状の反射面を有する反射部材と、前記反射部材の開口を塞ぎ、透光性を有する透光部材と、内部の放電空間に封入物を有し、前記反射部材と前記透光部材とに囲まれた空間内に格納される放電ランプとを備え、前記反射部材及び／又は透光部材は、前記空間内と外気とを連通させる連通部を備え、前記放電空間から漏出した封入物を吸収する吸収体が前記連通部に設けられていることを特徴としている。
【００１１】
この構成によると、例えば、放電ランプが破損して内部の封入物が漏出した場合でも、当該漏出した封入物が連通部から外部へと流出する際に、吸収体により吸収される。このため、例えば、放電ランプが破損して内部の封入物が漏出した場合でも、当該漏出した封入物が連通部から外部へと流出する際に、吸収体により吸収されるので、光源装置から外部へと放電ランプ内の封入物が流出するのを抑制できる。
【００１２】
また、前記放電ランプは、前記反射部材に組み込まれた一体型であって、当該反射部材が前記透光部材に着脱自在であることを特徴としている。このため、例えば、放電ランプの交換が必要になった場合でも、容易に行うことができる。
一方、本発明に係る投射型表示装置は、上記構成の光源装置を備えていることを特徴としている。このため、光源装置から放電ランプ内の封入物が漏出するのを抑制できる。
【００１３】
また、本発明に係る投射型表示装置は、凹入面状の反射面を有する反射部材の開口を透光性の透光部材により塞いで形成される空間内に、放電空間に封入物を有する放電ランプが組み込まれている光源手段と、前記光源手段を冷却する送風手段と、前記光源手段と前記送風手段とを格納する筐体とを備え、前記送風手段より発生する空気の流動経路上であって前記放電ランプよりも下流側に、前記放電空間から漏出した封入物を吸収する吸収体が設けられていることを特徴としている
上記構成によると、放電ランプ内の封入物が漏出した場合でも、封入物は、送風手段により発生した空気の流れに沿って移動し、当該空気の流動経路上に配された吸収体によって吸収される。従って、放電ランプ内の封入物が漏出した場合でも、投射型表示装置の外部に前記封入物が流出するのを抑制できる。
【００１４】
さらに、前記光源手段は、前記反射部材及び／又は透光部材に、前記空間内と外気とを連通させる連通部を備え、当該連通部に前記吸収体が設けられていることを特徴としている。このため、例えば、放電ランプから漏出した封入物は外部に流出する際には、前記連通部を通ることとなり、前記吸収体は外部に流出しようとする封入物を確実に吸収できる。
【発明の効果】
【００１５】
本発明に係る光源ユニットは、例えば、放電ランプが破損して内部の封入物が漏出した場合でも、当該漏出した封入物がハウジングの外部へ連通部から流出する際に、吸収体により吸収される。
このため、例えば、点灯中に放電ランプが破損して放電空間から封入物が漏出した場合でも、封入物がハウジングの外部へ連通部から流出する際に、吸収体により吸収され、放電ランプ内に封入されていた封入物のハウジング外部への流出を防止できる。
【００１６】
さらに、前記ハウジングは、凹入面状の反射面を有する反射部材と、前記反射部材の開口を塞ぐ透光性の透光部材とを備え、前記連通部は、前記反射部材及び／又は透光部材に設けられている。このため、放電ランプから漏出した封入物が、ハウジングの外部に流出する際には前記連通部を通ることとなり、確実にハウジングの外部に流出しようとする封入物を吸収できる。さらに前記吸収体は、活性炭を含んでいるため、容易に実施できる。
【００１７】
一方、本発明に係る光源装置は、例えば、放電ランプが破損して内部の封入物が漏出した場合でも、当該漏出した封入物が連通部から外部へと流出する際に、吸収体により吸収されるので、光源装置から外部へと放電ランプ内の封入物が流出するのを抑制できる。
さらに、前記放電ランプは、前記反射部材に組み込まれた一体型であって、当該反射部材が前記透光部材に着脱自在である。このため、例えば、放電ランプの交換が必要になった場合でも、容易に行うことができる。
【００１８】
一方、本発明に係る投射型表示装置は、上記構成を備えている。このため、光源装置から放電ランプ内の封入物が漏出するのを抑制できる。
また、凹入面状の反射面を有する反射部材の開口を透光性の透光部材により塞いで形成される空間内に、放電空間に封入物を有する放電ランプが組み込まれている光源手段と、前記光源手段を冷却する送風手段と、前記光源手段と前記送風手段とを格納する筐体とを備える投射型表示装置であって、前記送風手段より発生する空気の流動経路上であって前記放電ランプよりも下流側に、前記放電空間から漏出した封入物を吸収する吸収体が設けられている。このため、放電ランプ内の封入物が漏出した場合でも、投射型表示装置の外部に前記封入物が流出するのを抑制できる。
【００１９】
さらに、前記光源手段は、前記反射部材及び／又は透光部材に、前記空間内と外気とを連通させる連通部を備え、当該連通部に前記吸収体が設けられていることを特徴としている。このため、例えば、放電ランプから漏出した封入物は外部に流出する際には、前記連通部を通ることとなり、前記吸収体は外部に流出しようとする封入物を確実に吸収できる。
【発明を実施するための最良の形態】
【００２０】
＜第１の実施の形態＞
以下、第１の実施の形態として、本発明に係る光源ユニットについてそれぞれ図面を参照しながら説明する。
１．光源ユニットの構造
図１は、第１の実施の形態に係る光源ユニットの斜視図である。
【００２１】
光源ユニット１は、同図に示すように、放電ランプ３と、ハウジング５とを備え、ハウジング５内に放電ランプ３が組み込まれている。ハウジング５は、反射部材７とレンズ部材９（本発明の透光部材に相当する）とからなる。
図２は、レンズ部材を取り外した状態の光源ユニットの正面図であり、図３は、レンズ部材を装着した光源ユニットを図２におけるＸ−Ｘ線で切断して矢印方向から見た図である。
【００２２】
放電ランプ３は、いわゆる、公知の高圧放電ランプであって、図３に示すように、放電空間１３を有する本管部１５とこの本管部１５の両端部に設けられた細管部１７，１９とから構成される放電容器２３と、前記放電空間１３の内部で先端同士が対向する状態で両細管部１７，１９に封着されている電極構成体２５ａ，２５ｂとからなる。
電極構成体２５ａ，２５ｂは、電極部２７ａ，２７ｂ、モリブデン箔２９ａ，２９ｂ及び外部リード線３３ａ，３３ｂがこの順で接続（例えば、溶接により固着されている）されて構成されている。電極部２７ａ，２７ｂは、タングステン製であって、電極軸３５ａ，３５ｂの先端部に電極コイル３７ａ，３７ｂが設けられてなる。
【００２３】
外部リード線３３ａ，３３ｂは、モリブデン製であって、両細管部１７，１９における本管部１５と反対側の端面から外部に導出されている。なお、外部リード線３３ｂは、図１及び図２に示すように、反射部材７に形成されている貫通孔４１を通って、ハウジング５の外部へと導出されている。
電極部２７ａ，２７ｂは、放電空間１３の内部において互いに略対向するように配設されており、例えば、投射型表示装置等に用いられる高圧放電ランプの場合（所謂、ショートアーク用）、点光源に近付けるため、両者の間隔、つまり、電極間距離は、０．５ｍｍ〜２．０ｍｍの範囲に設定される。
【００２４】
電極構成体２５ａ，２５ｂは、電極間距離が上記範囲に設定された状態で、主にモリブデン箔２９ａ，２９ｂが細管部１７，１９に封着される。これにより、本管部１５の内部に放電空間１３が形成される。
本管部１５の内部には、例えば、ヨウ化ディスプロシウム（ＤｙＩ３）、ヨウ化ツリウム（ＴｍＩ３）、ヨウ化ホルミウム（ＨｏＩ３）、ヨウ化タリウム（ＴｌＩ）等のハロゲン化物からなる発光物質、水銀からなる緩衝物質（緩衝ガス）、アルゴン等からなる始動補助用の物質（例えば、希ガス）等が封入されている。なお、本発明における封入物は、ここでは、発光物質、緩衝物質及び希ガスとを含む。
【００２５】
また、細管部１７，１９のうち一方、例えば、細管部１７における本管部１５と反対側の端部には口金３７がセメント３９を介して被着されており、外部リード線３３ａが口金３７に接続されている。
ハウジング５は、図１〜図３に示すように、凹面状の反射面７ｂを有する反射部材７と当該反射部材７の開口７ａを塞ぐように設けられたレンズ部材９とからなる。なお、反射部材７とレンズ部材９との固着は、例えば、シリコン接着剤を用いて行われる。
【００２６】
反射部材７は、例えば、内面が反射面７ｂとなった反射鏡、例えば、ダイクロイック反射鏡であり、放電ランプ３の本管部１５から発せられた光を所定方向（レンズ部材９側）へと反射させている。反射部材７の形状は、漏斗状をしており、開口径の小さい部分（この部分を「根元部分」という。）７ｃには、図３に示すように、放電ランプ３の一方の細管部１７が挿入される貫通孔７ｄが形成されている。
【００２７】
レンズ部材９は、反射面７ｂで所定方向に反射された光を、例えば、さらに平行光に変換したり、所定方向に集光させたりするガラス製のレンズが用いられている。
放電ランプ３の上記ハウジング５への組込は、図３に示すように、口金３７が被着している細管部１７を反射部材７の根元部分７ｃの貫通孔７ｄに所定量挿入させた状態で、例えば、セメント４３で固着されている。
【００２８】
ハウジング５には、ハウジング５の内部と外部とを連通させる連通部が設けられ、この連通部に、封入物、例えば、水銀を吸収する吸収体が設けられている。
連通部は、例えば、反射部材７の開口７ａの端縁から根元部分７ｃ側へと略四角形状に切り欠かれた切欠部７ｅ（図１参照）の他、反射部材７の根元部分７ｃと放電ランプ３の細管部１７との間に放電ランプ３の細管部１７に沿って貫通する貫通孔４３ａ（図３参照）がある。
【００２９】
切欠部７ｅに設けられている吸収体（以下、「切欠部用吸収体」という。）４５ａは、切欠部７ｅの形状に対応した薄い箱状をしており、切欠部７ｅに装着されている。なお、実施の形態での切欠部７ｅは、反射部材７における厚み方向に、その大きさが段階的に変わっており、その大きさの違いは外側の方が大きくなっている。そして、切欠部７ｅの内、外側に位置する部分に切欠部用吸収体４５ａが着脱自在に嵌め込まれている。
【００３０】
一方の貫通孔４３ａに設けられている吸収体（以下、「貫通孔用吸収体」という。）４５ｂは、貫通孔４３ａに対応して棒状をしており、貫通孔４３ａに挿入された状態で反射部材７（実際にはセメント４３である。）に取り付けられている。
図４は、切欠部用吸収体の概略図である。
切欠部用吸収体４５ａは、図４に示すように、粒状の活性炭４７と、この活性炭４７を収納する網目状の袋材４９と、これらを交換可能に内部に収納する筐体５１とからなる。筐体５１は、例えば、２個の無蓋箱状の筐体部材５１ａ，５１ｂからなり、当該筐体部材５１ａ，５１ｂの開口周縁同士をつき合わせことにより活性炭４７を格納する格納空間が形成される。この筐体部材５１ａ，５１ｂの側壁には、筐体５１の厚み方向に空気が流れるように、連通部、例えば、スリット５３が設けられている。
【００３１】
なお、切欠部用吸収体４５ａの反射部材７への取着は、着脱自在でなくても良く、他の方式、例えば、切欠部用吸収体（４５ａ）の一方の筐体部材（５１ｂ）の側壁を反射部材（７）にセメント等で固着するようにしても良い。この場合、筐体部材（５１ａ，５１ｂ）同士を開閉自在な構造にしておくと、筐体部材（５１ｂ）が反射部材（７）に固着されたまま、内部の活性炭（４７）の交換が可能となる。
【００３２】
また、筐体部材（５１ａ，５１ｂ）同士を固着しても良い。この場合、内部の活性炭の交換は不可能となる。
なお、貫通孔用吸収体４５ｂも、切欠部用吸収体４５ａと同様に、活性炭、袋材及び筐体とからなる。筐体は、中空の円柱状をしており、この内部に活性炭が充填されている。なお、言うまでもなく、円柱状の上壁及び下壁には貫通部が形成されており、筐体内を空気が通過できる。
【００３３】
２．作用
上記構成の光源ユニット１は、ハウジング５の内部と外部とが切欠部７ｅ及び貫通孔４３ａを介して連通する可能な構造を有している。切欠部７ｅ及び貫通孔４３ａに設けられた吸収体４５ａ，４５ｂは、その内部を空気が通過できるので、放電ランプ３を点灯させたときに発生する熱を切欠部７ｅ及び貫通孔４３ａを介してハウジング５の外部へと放出できる。したがって、従来と同様に、点灯時に放電ランプ３の温度が上昇し過ぎるのを防止できる。これにより、点灯している放電ランプ３の温度上昇を抑えることができ、放電ランプ３の短命化（破損を含めて）を防ぐことができる。
【００３４】
一方、点灯中の放電ランプ３が破損した場合、放電空間１３から漏出した封入物、例えば、水銀は、切欠部７ｅ及び貫通孔４３ａからハウジング５の外部へと流出しようとする。しかしながら、切欠部７ｅ及び貫通孔４３ａには水銀を吸収する吸収体４５ａ，４５ｂが設けられているため、水銀がハウジング５の外部へと流出する際に吸収体４５ａ，４５ｂにより吸収され、光源ユニット１から水銀の漏出を防ぐことができる。
【００３５】
＜第２の実施の形態＞
以下、第２の実施の形態として、本発明に係る光源装置についてそれぞれ図面を参照しながら説明する。
光源装置は、放電ランプを光源として利用している。
図５は、光源装置内の放電ランプ周辺を示す斜視図である。
【００３６】
光源装置は、図５に示すように、例えば、立方体状の光源格納部１０２を備え、当該光源格納部１０２の内部に、さらに、凹入面状の反射面を有する反射部材１０５と、当該反射部材１０５の開口を塞ぐ透光性のレンズ部材１０７とを備えている。そして、反射部材１０５とレンズ部材１０７とに囲まれた空間内に放電ランプが格納されている。
第２の実施の形態で説明する反射部材１０５、レンズ部材１０７及び放電ランプは、第１の実施の形態で説明した反射部材７、レンズ部材９及び放電ランプ３と同じ構成である。
【００３７】
本実施の形態では、レンズ部材１０７は、光源格納部１０２の前側の壁１０２ｆに形成されている開口１０２ａに嵌着されている。一方、放電ランプは反射部材１０５に組み込まれた一体式となっており、この一体となった状態（この状態を、「ランプユニット」という。）で、反射部材１０５の開口周縁１０５ａをレンズ部材１０７につき合わせて、ランプユニットを光源格納部１０２の内部に固定するようになっている。なお、放電ランプを交換する際には、ランプユニットごと交換することになる。
【００３８】
ランプユニットには、ランプユニットの開口（反射部材１０５の開口）とレンズ部材１０７とを付き合わせたときに、レンズ部材１０７と反射部材１０５とで囲まれた空間と、この空間の外部とを連通させる連通部が形成されている。そして、この連通部は、第１の実施の形態と同様に、反射部材１０５におけるレンズ部材１０７側に形成された切欠部１０５ｂと、反射部材１０５の根元部分１０５ｃ側に形成された貫通孔とにより構成されている。
【００３９】
光源格納部１０２は、箱状をしており、ランプユニットの連通部に近い壁に連通部が形成され、当該連通部に活性炭を内部に収納している吸収体が設けられている。
具体的には、切欠部１０５ｂの近くに位置する壁１０２ｂには連通孔１０２ｃが形成され、この連通孔１０２ｃを覆うように、光源格納部１０２の外面に吸収体１０９が設けられている。また、反射部材１０５の根元部分１０５ｃの貫通孔の近くに位置する壁１０２ｄには連通孔１０２ｅが形成され、この連通孔１０２ｅを覆うように、光源格納部１０２の外面に吸収体１１０が設けられている。
【００４０】
なお、光源格納部１０２の内部は、光源格納部１０２の壁１０２ｂ，１０２ｄに形成されている連通孔１０２ｃ，１０２ｅを介してのみ、光源格納部１０２の外部と連通できる構造となっている。
第２の実施の形態における光源装置も、仮に、点灯中に放電ランプが破損して、内部の水銀又は水銀蒸気が漏出して、反射部材１０５とレンズ部材１０７とで囲まれた空間から流出しても、光源格納部１０２から外部に流出する際に吸収体１０９，１１０により吸収される。
【００４１】
なお、上記説明の光源装置は、レンズ部材１０７が光源格納部１０２に設けられ、ランプユニットが当該光源格納部１０２に対して着脱自在に取り付けられる構造であるが、例えば、レンズ部材と反射部材とが組立てられた状態で光源格納部に設けられ、放電ランプが反射部材に着脱自在に取り付けられる構造であっても良い。
＜第３の実施の形態＞
以下、第３の実施の形態として、本発明に係る前面投射型の表示装置（以下、「液晶プロジェクタ」という。）についてそれぞれ図面を参照しながら説明する。
【００４２】
図６は、第３の実施の形態に係る液晶プロジェクタの一部を切り欠いた斜視図である。
液晶プロジェクタ２００は、図６に示すように、放電ランプを内部に有する光源ユニット２０１、放電ランプを点灯させるための電子安定器を含む電源ユニット２０２、制御ユニット２０４、集光レンズと透過型のカラー液晶表示板と駆動モータとが内蔵されているレンズユニット２０６、冷却用のファン装置２０８等をケース２１０の内部に備える。なお、レンズユニット２０６は、その一部がケース２１０の外部に張り出すように設けられている。
【００４３】
電源ユニット２０２は、家庭用ＡＣ１００Ｖの電源を所定の直流電圧に変換して、電子安定器や制御ユニット２０４などに供給する。なお、電源ユニット２０２は、レンズユニット２０６の上部に配された基板２１２と、この基板２１２に実装された複数の電子・電気部品２１４等から構成される。
制御ユニット２０４は、外部から入力された画像信号に基づき、カラー液晶表示板を駆動してカラー画像を表示させる。また、レンズユニット２０６の内部に配されている駆動モータを制御してフォーカシング動作やズーム動作を実行させる。
【００４４】
光源ユニット２０１から射出された光は、レンズユニット２０６の内部に配されている集光レンズで集光されると供に、光路途中に配されたカラー液晶表示板を透過する。これにより、液晶表示板に形成された画像が、レンズ２１６等を介して図外のスクリーン上に投影される。
このような液晶プロジェクタ２００においては、点灯中の放電ランプ（光源ユニット２０１）を冷却するためにケース２１０の内部、特に光源ユニット２０１の周辺の空気が流動するように、ケース２１０の前壁及び側壁に連通部２１０ａ，２１０ｂが設けられ、さらに、ファン装置２０８によりケース２１０の内部の空気を強制的に排出するようになっている。このファン装置２０８によりケース２１０の内部の空気が流出する経路（この経路を「流出経路」という。）Ａを矢印で示す。なお、流出経路Ａを示す矢印は、空気の流れを模式的に示したものであり、実際には、矢印Ａから外れた位置でも空気の流れはある。
【００４５】
光源ユニット２０１は、第１の実施の形態と同様に、放電ランプ、反射部材及びレンズ部材からなり、反射部材とレンズ部材とから形成されるハウジング内に前記放電ランプが組み込まれ、上記流出経路Ａ上に設けられている。
光源ユニット２０１は、第１の実施の形態と同様に、ハウジングの内部と外部とを連通する連通部が設けられている。なお、この連通部には、第１の実施の形態と異なり、水銀を吸収する吸収体（４５ａ，４５ｂ）は設けられていない。
【００４６】
ファン装置２０８は、流出経路Ａの下流側の連通部２１０ｂに設けられている。また、連通部２１０ａには、ケース２１０の外部から内部へと塵・埃の流入を防ぐフィルター（図示省略）が設けられている。一方、連通部２１０ｂには、活性炭を利用した吸収体２２０が設けられている。なお、この吸収体２２０は、人の手等がケース２１０の内部、特にファン装置２０８のファンに進入するのを防止する機能も有する。
【００４７】
上記構成の液晶プロジェクタ２００においても、光源ユニット２０１の内部の放電ランプが破損して水銀が漏出した場合でも、この水銀がケース２１０に設けられた吸収体２２０により吸収されるので、ケース２１０内の部品・部材、特に、電子・電気部品２１４を備える電源ユニット２０２を浸食する惧れが少ない。これにより、例えば、電子・電気部品２１４を備えた電源ユニット２０２を光源ユニット２０１の周辺（流出経路の上流側）にも配置することができる。
【００４８】
なお、第３の実施の形態では、放電ランプを備える表示装置として、前面投射型の表示装置について説明したが、例えば、背面投射型の表示装置でも実施できる。
図７は、背面投射型の表示装置の全体斜視図であり、図８は、光源ユニット周辺の拡大図である。
背面投射型の表示装置２３０は、キャビネット２３２の前壁に、画像等を表示するスクリーン２３４を備え、また、キャビネット２３２の内部には、光源ユニット２３６を備える。なお、光源ユニット２３６は、第１の実施の形態で説明した光源ユニットと同仕様であり、反射部材２３７に吸収体２３８が設けられている。
【００４９】
キャビネット２３２の後壁２３２ａであって光源ユニット２３６に近い部分には、図８に示すように、連通部２３３ａが設けられている。また、キャビネット２３２の側壁２３２ｂであって光源ユニット２３６に近い部分には、図７に示すように連通部２３３ｂが形成されている。
キャビネット２３２の側壁２３２ｂの内面には、連通部２３３ｂを覆うように吸収体２４２が取着されており、吸収体２４２と光源ユニット２３６との間には、光源ユニット２３６の点灯により熱せられた空気を、連通部２３３ｂからキャビネット２３２の外部へと流出させるためのファン装置２４０が設けられている。
【００５０】
以上、本発明を各実施の形態に基づいて説明したが、本発明の内容が、上記各実施の形態に示された具体例に限定されないことは勿論であり、例えば、以下のような変形例をさらに実施することができる。
（１）放電ランプについて
上記の各実施の形態では、放電ランプに、液晶表示装置用の高圧放電ランプ、つまり、電極間距離が短い（いわゆる、ショートアーク）タイプのメタルハライドランプを用いて説明したが、ショートアークタイプの高圧水銀ランプ、さらには、電極間距離の長いタイプのメタルハライドランプ若しくは高圧水銀ランプを用いても良い。このようなメタルハライドランプあるいは高圧水銀ランプとして、例えば、片口金タイプ、両口金タイプのようなものを用いても良い。さらには、放電ランプとしてハロゲン電球を用いても良い。
【００５１】
本発明に係る放電ランプは、他の物質を浸食する惧れのある水銀が封入されているランプ、さらに、点灯中に発光管内の水銀蒸気圧が高くなるようなランプを用いる場合に本発明を適用するのが好ましい。
なお、水銀蒸気は他の物質を侵食する性質を有しているので、この水銀を吸収できるということは、環境面においても有益である。この観点からいえば、本発明の放電ランプは、水銀を利用している低圧水銀放電ランプ、例えば、蛍光灯、電球形蛍光ランプ等であっても良い。
【００５２】
（２）連通部について
第１の実施の形態における連通部は、反射部材の開口側に形成された切欠部で構成されているが、他の形態、例えば、反射部材を貫通する貫通孔により構成しても良い。当然切欠部と貫通孔とを組合せても良い。
さらに、連通部は、反射部材以外の部材、例えば、透光部材に設けても良い。当然この際に設ける連通部の形状・形態は特に限定するものではない。また、連通部は、透光部材と反射部材の両方に独立して設けても良いし、さらには、透光部材と反射部材の両方に跨るように設けても良い。
【００５３】
また、第１の実施の形態では、反射部材に連通部が２つ設けられ、第２の実施の形態では、光源格納部に連通部が２つ設けられていたが、本発明に係る連通部は、２つに限定するものではなく、例えば、１つ或いは３つ以上設けても良い。なお、通気性を考慮すると、連通部は２つ以上が好ましい。
（３）封入物
上記実施の形態での吸収体は、水銀を吸収する場合について説明したが、他の物質を吸収するようにしても良い。例えば、放電ランプにメタルハライドランプを用いた場合、発光管内に封入されている発光物質に、例えば、ヨウ化ディスプロシウム（ＤｙＩ３）、ヨウ化ツリウム（ＴｍＩ３）、ヨウ化ホルミウム（ＨｏＩ３）、ヨウ化タリウム（ＴｌＩ）等のハロゲン化物等を用いたときなどが考えられる。
【００５４】
（４）吸収体
上記実施の形態では、水銀を吸収する物質として、粒状の活性炭を用いていたが、例えば、繊維状の活性炭或いは紙状の活性炭を用いても良い。当然、繊維状或いは紙状の活性炭を粉砕して粒状の吸収体としても良い。
さらには、粒状の活性炭や、粉砕した粒状の吸収体を繊維等に混ぜ合わせて分散させて使用したり、紙に混ぜ合わせて使用したりしても良い。このような方法によれば、吸収体の面積を広げることができるので、水銀吸収の効果が増加する。当然、粒状、繊維状、紙状を組合せて使用しても良い。
【００５５】
繊維状の活性炭を用いる場合は、実施の形態のように、袋体に格納するような構造でも良いし、繊維を布状に加工したものを筐体に直接収納してもよい。
さらに、金属材料（Ａｌ、Ｔｉ、Ｍｎ、Ｆｅ、Ｎｉ、Ｃｕ、Ｚｎ、Ｎｂ、Ｍｏ、Ａｇ、Ｗ、Ｐｔ、Ａｕ）、ガラス材料（石英、ほう珪酸ソーダ）を繊維状にして、このような繊維を利用して（例えば、布状に加工して）吸収体を構成することもできる。この場合、繊維の種類は１種類でも良いし、複数種類の繊維を組み合わせて利用しても良い。
【００５６】
（５）吸収体の設置位置について
第１の実施の形態での光源ユニットは吸収体を備える構造をし、また、第２の実施形態での光源ユニットは吸収体を備えずに、光源格納部が吸収体を備える構造をしている。また、第３の実施の形態での表示装置は、光源ユニットには収納体がなく、ケースに吸収体を備える構造をしている。しかしながら、本発明における吸収体は、放電ランプが破損したときに、当該放電ランプから漏出した物質を吸収できれば良く、設置位置は特に限定するものではない。
【００５７】
（６）反射部材及び透光部材
実施の形態における反射部材としての反射鏡は、ほう珪酸ガラス、結晶ガラスからなり、誘電体多層膜或いはアルミニウムを蒸着させた反射面を有する反射鏡、さらには、アルミニウム等の金属からなり、当該表面に誘電体多層膜或いはアルミニウムを蒸着させた反射面を有する反射鏡等も利用できる。
【００５８】
また、透光部材は、反射面で所定方向に反射された光を平行光に変換する、或いは集光させるガラス製のレンズを利用したが、単に、反射面で反射された光を透過させる透過部材、例えば、単なるガラス板であっても良く、さらに、例えば、蛍光ランプ等を装着する照明装置の反射板のようなものでも良い。
（７）光源装置
第２の実施の形態における光源装置は、放電ランプが反射部材に組み込まれ、放電ランプと反射部材とが一体式となっており、光源装置を構成する装置本体側に設けられた透光部材（光源格納部）に取り付ける構成をしている。
【００５９】
しかしながら、本発明に係る光源装置は、放電ランプ、反射部材及び透光部材とを少なくとも備えておれば良く、例えば、反射部材及び放電ランプとが別体で、光源装置を構成する装置本体に組み込まれた透光部材に取り付けるようにしても良い。
ここで説明した光源装置は、当然、表示装置等以外の装置、例えば、自動車等のヘッドランプとしても利用できる。この場合でも、仮に放電ランプが破損して、水銀蒸気が放電容器から漏出したとしても、吸収体により吸収されるので、周辺の装置、ヘッドランプに設けられている反射鏡、或いは、車体を構成する鉄等の腐食を生じる可能性が少ない。
【００６０】
（８）その他
上記の各実施の形態等では、ランプ点灯時に放電ランプの温度が上昇して破損する場合を想定して説明したが、本発明は、他の原因によって放電ランプが破損した場合、例えば、光源ユニット、光源装置、投射型表示装置の搬送中に、何らかの負荷がランプに作用して破損した場合、或いは放電ランプが寿命で電極構成体と放電容器との間にクラックが発生した場合（この場合も破損に含まれる）等でも、ランプ内の封入物が光源ユニット、光源装置、投射型表示装置の外部に流出を防ぐことができる。
【産業上の利用可能性】
【００６１】
本発明は、放電空間に封入されている封入物の漏出を防止できる光源ユニット、光源装置及び表示装置に利用できる。
【図面の簡単な説明】
【００６２】
【図１】第１の実施の形態に係る光源ユニットの斜視図である。
【図２】レンズ部材を取り外した状態の光源ユニットの正面図である。
【図３】レンズ部材を装着した光源ユニットを図２におけるＸ−Ｘ線で切断して矢印方向から見た図である。
【図４】切欠部用吸収体の概略図である。
【図５】第２の実施の形態に係る光源装置内の放電ランプ周辺を示す斜視図である。
【図６】第３の実施の形態に係る液晶プロジェクタの一部を切り欠いた斜視図である。
【図７】第３の実施の形態の変形例である背面投射型の表示装置の全体斜視図である。
【図８】背面投射型の表示装置における光源ユニット周辺の拡大図である。
【符号の説明】
【００６３】
１      光源ユニット
３      放電ランプ
５      ハウジング
５ｅ    切欠部  
７      反射部材
９      レンズ部材
１３      放電空間
４３ａ    貫通孔
４５ａ    切欠部用吸収体
４５ｂ    貫通孔用吸収体
４７      活性炭
４９      袋体
５１      筐体
１００      光源装置
２００      表示装置
【図１】
2008529201.tif 000003
【図２】
2008529201.tif 000004
【図３】
2008529201.tif 000005
【図４】
2008529201.tif 000006
【図５】
2008529201.tif 000007
【図６】
2008529201.tif 000008
【図７】
2008529201.tif 000009
【図８】
2008529201.tif 000010
【国際調査報告】
2008529201.tif 000011
2008529201.tif 000012
2008529201.tif 000013